(57)【要約】  本発明は、セルラ無線通信システム内の移動局を識別する方法に関し、前記セルラ無線通信システムは、１又は複数の移動局と、少なくとも１つの関連する第１のセルに供する少なくとも１つの第１のネットワーク制御ノードと、少なくとも１つの関連する第２のセルに供する少なくとも１つの第２のネットワーク制御ノードとを有し、前記セルラ無線通信システムは、移動局があるセルから別のセルへハンドオーバされるときハンドオーバ手順を用いるよう配置され、前記方法は、前記第１のセルから前記第２のセルへ移動局をハンドオーバするステップと、前記第２のネットワーク制御ノードにより、前記第１のネットワーク制御ノードへ少なくとも１つのモバイル識別指示を送信するステップであって、前記送信するステップは、前記移動局についてのハンドオーバ失敗又は無線リンク障害の少なくとも１つの発生によりトリガされる、ステップと、前記第１のネットワーク制御ノードにより、前記少なくとも１つのモバイル識別指示を受信するステップと、前記第１のネットワーク制御ノードにより、前記少なくとも１つのモバイル識別指示を用いることにより、前記移動局を識別するステップと、を有する。さらに、本発明は、第１のネットワーク制御ノード装置、第２のネットワーク制御ノード装置、第１のネットワーク制御ノード装置における方法、第２のネットワーク制御ノード装置における方法、コンピュータプログラム、及びそのコンピュータプログラム製品に関する。
2015505227.tif 000002
【特許請求の範囲】
【請求項１】
セルラ無線通信システム内の移動局を識別する方法であって、前記セルラ無線通信システムは、１又は複数の移動局と、少なくとも１つの関連する第１のセルに供する少なくとも１つの第１のネットワーク制御ノードと、少なくとも１つの関連する第２のセルに供する少なくとも１つの第２のネットワーク制御ノードとを有し、前記セルラ無線通信システムは、移動局があるセルから別のセルへハンドオーバされるときハンドオーバ手順を用いるよう配置され、前記方法は、
前記第１のセルから前記第２のセルへ移動局をハンドオーバするステップと、
前記第２のネットワーク制御ノードにより、前記第１のネットワーク制御ノードへ少なくとも１つのモバイル識別指示を送信するステップであって、前記送信するステップは、前記移動局についてのハンドオーバ失敗又は無線リンク障害の少なくとも１つの発生によりトリガされる、ステップと、
前記第１のネットワーク制御ノードにより、前記少なくとも１つのモバイル識別指示を受信するステップと、
前記第１のネットワーク制御ノードにより、前記少なくとも１つのモバイル識別指示を用いることにより、前記移動局を識別するステップと、
を有する方法。
【請求項２】
前記送信するステップは、前記移動局から前記セルラ無線通信システムのネットワーク制御ノードへ送信される無線リンク障害（ＲＬＦ）レポートによりトリガされる、請求項１に記載の方法。
【請求項３】
前記無線リンク障害（ＲＬＦ）レポートは、前記少なくとも１つのモバイル識別指示を決定するために前記第２のネットワーク制御ノードにより用いられた前記移動局のＣＲＮＴＩ（cell  radio  network  temporary  identifier）及び／又はＳｈｏｒｔＭＡＣ−Ｉを有する、請求項２に記載の方法。
【請求項４】
前記送信するステップは、前記移動局から前記セルラ無線通信システムのネットワーク制御ノードへ送信される無線リソース制御（ＲＲＣ）再確立要求メッセージによりトリガされる、請求項１に記載の方法。
【請求項５】
前記送信するステップは、前記第２のネットワーク制御ノードにおける、前記セルラ無線通信システムの別のネットワーク制御ノードから送信された無線リンク障害（ＲＬＦ）指示メッセージの受信によりトリガされる、請求項１に記載の方法。
【請求項６】
前記少なくとも１つのモバイル識別指示は、前記第２のネットワーク制御ノードから前記第１のネットワーク制御ノードへ送信されるハンドオーバレポートメッセージ内に埋め込まれる、請求項１に記載の方法。
【請求項７】
前記モバイル識別指示は、前記第１のネットワーク制御ノードにより用いられた前記移動局のＣＲＮＴＩ（cell  radio  network  temporary  identifier）、前記第２のネットワーク制御ノードにより用いられた前記移動局のＣＲＮＴＩ（cell  radio  network  temporary  identifier）、前記移動局のセキュリティ鍵、前記移動局のＳｈｏｒｔＭＡＣ−Ｉ、前記第１のネットワーク制御ノードにより用いられた前記移動局のＸ２ＡＰ  ＩＤ、前記第２のネットワーク制御ノードにより用いられた前記移動局のＸ２ＡＰ  ＩＤ、前記第１のセルの識別情報、前記第２のセルの識別情報、及び前記ハンドオーバのタイムスタンプを有するグループから選択される、請求項１に記載の方法。
【請求項８】
前記第１のネットワーク制御ノード及び前記第２のネットワーク制御ノードは、前記移動局に関するネットワークコンテキスト情報を格納するよう配置される、請求項１に記載の方法。
【請求項９】
前記第１のネットワーク制御ノードにより、前記少なくとも１つのモバイル識別指示及び前記格納されたネットワークコンテキスト情報を用いて、１又は複数の無線ネットワークパラメータを分析及び／又は調整するステップと、
を更に有する請求項８に記載の方法。
【請求項１０】
前記分析及び／又は調整するステップは、１又は複数のモビリティパラメータを分析及び／調整するステップを含む、請求項９に記載の方法。
【請求項１１】
前記移動局をハンドオーバするステップは、
前記第１のネットワーク制御ノードと前記第２のネットワーク制御ノードとの間で前記少なくとも１つのモバイル識別指示を交換するステップ、
を含む、請求項１に記載の方法。
【請求項１２】
前記モバイル識別指示は、前記第１のネットワーク制御ノードにより用いられた前記移動局のＣＲＮＴＩ（cell  radio  network  temporary  identifier）、前記第２のネットワーク制御ノードにより用いられた前記移動局のＣＲＮＴＩ（cell  radio  network  temporary  identifier）、前記移動局のセキュリティ鍵、前記第１のネットワーク制御ノードにより決定された前記移動局のＳｈｏｒｔＭＡＣ−Ｉ、前記第１のネットワーク制御ノードにより用いられた前記移動局のＸ２ＡＰ  ＩＤ、前記第２のネットワーク制御ノードにより用いられた前記移動局のＸ２ＡＰ  ＩＤ、前記第１のセルの識別情報、前記第２のセルの識別情報、を有するグループから選択される、請求項１１に記載の方法。
【請求項１３】
前記セルラ無線通信システムは、ＧＳＭ（登録商標）、ＵＭＴＳ、ＬＴＥのような３ＧＰＰシステムであり、及び／又は
前記第１及び第２のネットワーク制御ノードは、基地局制御部（ＢＳＣ）、無線ネットワーク制御部（ＲＮＣ）、及びｅＮＢを有するグループから選択され、及び／又は
前記移動局はユーザ機器（ＵＥ）である、
請求項１に記載の方法。
【請求項１４】
移動局を識別するための第１のネットワーク制御ノードにおける方法であって、前記第１のネットワーク制御ノードは、セルラ無線通信システムの少なくとも１つの関連する第１のセルに供するよう配置され、前記セルラ無線通信システムは、１又は複数の移動局と、少なくとも１つの関連する第２のセルに供する少なくとも１つの第２のネットワーク制御ノードとを更に有し、前記セルラ無線通信システムは、移動局があるセルから別のセルへハンドオーバされるときハンドオーバ手順を用いるよう配置され、前記方法は、
前記第１のセルから前記第２のセルへ移動局をハンドオーバするステップと、
前記第２のネットワーク制御ノードからの送信において少なくとも１つのモバイル識別指示を受信するステップであって、前記送信は、前記移動局についてのハンドオーバ失敗又は無線リンク障害の少なくとも１つの発生によりトリガされる、ステップと、
前記少なくとも１つのモバイル識別指示を用いることにより、前記移動局を識別するステップと、
を有する方法。
【請求項１５】
情報を送信するための第２のネットワーク制御ノードにおける方法であって、前記第２のネットワーク制御ノードは、セルラ無線通信システムの少なくとも１つの関連する第２のセルに供するよう配置され、前記セルラ無線通信システムは、１又は複数の移動局と、少なくとも１つの関連する第１のセルに供する少なくとも１つの第１のネットワーク制御ノードとを更に有し、前記セルラ無線通信システムは、移動局があるセルから別のセルへハンドオーバされるときハンドオーバ手順を用いるよう配置され、前記方法は、
前記第１のセルから前記第２のセルへのハンドオーバの成功により前記第２のセルに移動局を受け入れるステップと、
前記第１のネットワーク制御ノードへ前記移動局の少なくとも１つのモバイル識別指示を送信するステップであって、前記送信するステップは、前記移動局についてのハンドオーバ失敗又は無線リンク障害の少なくとも１つの発生によりトリガされる、ステップと、
を有する方法。
【請求項１６】
コンピュータプログラムであって、コード手段により特徴付けられ、コンピュータ内で実行されると、前記コンピュータに、請求項１乃至１５のいずれか一項に記載の方法を実行させる、コンピュータプログラム。
【請求項１７】
コンピュータ可読媒体と請求項１６に記載のコンピュータプログラムとを有するコンピュータプログラム製品であって、前記コンピュータプログラムは、前記コンピュータ可読媒体に含まれ、ＲＯＭ（Read-Only  Memory）、ＰＲＯＭ（Programmable  ROM）、ＥＰＲＯＭ（Erasable  PROM）、フラッシュメモリ、ＥＥＰＲＯＭ（Electrically  EPROM）、及びハードディスクを含むグループからの１又は複数を有する、コンピュータプログラム製品。
【請求項１８】
第１のネットワーク制御ノードであって、前記第１のネットワーク制御ノードは、セルラ無線通信システムの少なくとも１つの関連する第１のセルに供するよう配置され、前記セルラ無線通信システムは、１又は複数の移動局と、少なくとも１つの関連する第２のセルに供する少なくとも１つの第２のネットワーク制御ノードとを更に有し、前記セルラ無線通信システムは、移動局があるセルから別のセルへハンドオーバされるときハンドオーバ手順を用いるよう配置され、前記第１のネットワーク制御ノードは、
前記第１のセルから前記第２のセルへ移動局をハンドオーバし、
前記第２のネットワーク制御ノードからの送信において少なくとも１つのモバイル識別指示を受信し、前記送信は、前記移動局についてのハンドオーバ失敗又は無線リンク障害の少なくとも１つの発生によりトリガされ、
前記少なくとも１つのモバイル識別指示を用いることにより、前記移動局を識別する、
よう更に配置される第１のネットワーク制御ノード。
【請求項１９】
第２のネットワーク制御ノードであって、前記第２のネットワーク制御ノードは、セルラ無線通信システムの少なくとも１つの関連する第２のセルに供するよう配置され、前記セルラ無線通信システムは、１又は複数の移動局と、少なくとも１つの関連する第１のセルに供する少なくとも１つの第１のネットワーク制御ノードとを更に有し、前記セルラ無線通信システムは、移動局があるセルから別のセルへハンドオーバされるときハンドオーバ手順を用いるよう配置され、前記第２のネットワーク制御ノードは、
前記第１のセルから前記第２のセルへのハンドオーバの成功により前記第２のセルに移動局を受け入れ、
前記第１のネットワーク制御ノードへ前記移動局の少なくとも１つのモバイル識別指示を送信し、前記送信するステップは、前記移動局についてのハンドオーバ失敗又は無線リンク障害の少なくとも１つの発生によりトリガされる、
よう更に配置される第２のネットワーク制御ノード。
【発明の詳細な説明】
【技術分野】
【０００１】
本発明は、セルラ無線通信システム内の移動局を識別する方法に関する。さらに、本発明は、第１のネットワーク制御ノード装置、第２のネットワーク制御ノード装置、第１のネットワーク制御ノード装置における方法、第２のネットワーク制御ノード装置における方法、コンピュータプログラム、及びそのコンピュータプログラム製品に関する。
【背景技術】
【０００２】
通常、セルラ無線通信システム内でアクティブモードであるユーザ機器（ＵＥ）は、ＵＥがネットワークを通じて移動するとき、ある（ソース）セルから別の（ターゲット）セルへとハンドオーバされ、データはこれらのハンドオーバに起因する有意な中断を有しないで送信及び受信できる。
【０００３】
ハンドオーバ（ＨＯ）手順は、多くのステップを有し得る。殆どのセルラ無線通信システムでは、ハンドオーバは以下の通りである。
（１）ネットワーク制御である。つまり、ＵＥは、別のセルに接続すべきときを、ネットワークにより指示される。
（２）準備が整っている。つまり、ターゲットセル（ＵＥの移動先のセル）の準備が整っている。
（３）ＵＥにより支援される。つまり、ＵＥは、（複数の）ターゲットセルのハンドオーバ準備を行うための及びサービングセルを出る／ターゲットセルに接続するときの決定を支援するために、ハンドオーバの前にサービングセルに測定レポートを提供する。
【０００４】
ハンドオーバの状況では、ハンドオーバ前のサービングセルは、ソースセルと称される場合が多い。ハンドオーバに成功した後、ターゲットセルは新たなサービングセルになり、以下同様である。
【０００５】
モビリティ制御決定を支援するために、ＵＥは、幾つかのセルを測定し、結果をネットワークに報告し得る。異なるネットワーク及びネットワーク配置は異なる詳細動作を有するが、殆どのネットワークでは、ターゲットセルからの信号受信がソースセルからのものよりも良好なとき、ハンドオーバをトリガすることが自然である。
【０００６】
サービングセルに関連するサービングｅＮＢは、測定レポートを受信するとき、及びＵＥを別のセルにハンドオーバすることを決定する場合、該セルへのハンドオーバ準備を実行する。ハンドオーバ準備は、あるｅＮＢと別のｅＮＢとの間のシグナリング交換を含む。ソースセルはハンドオーバを要求し、ＵＥコンテキスト情報を渡す。ターゲットセルは、ＵＥを収容できるかどうかを決定し、ハンドオーバを受け入れ又は拒否する。
【０００７】
準備の成功に続いて、ハンドオーバ実行が行われる。ソースセルは、ハンドオーバコマンド（Handover  Command）をＵＥに発行する。ＵＥは、これを正しく受信した場合及びそのとき、新しいターゲットセルに同期しＲＡＣＨ（Random  Access  Channel）で同期メッセージを送信する。次に、ターゲットセルはＵＥに割り当てを発行して、ＵＥがターゲットセルにハンドオーバ確認（Handover  Confirmation）メッセージを送信できるようにする。
【０００８】
最後のステップ、ハンドオーバ完了（Handover  Completion）は、ＵＥが関与しない。ソースｅＮＢはデータ（肯定応答されていないダウンリンクパケット）をターゲットｅＮＢへ転送でき、Ｓ−ＧＷからのＳ１−Ｕインタフェースは、ソースからターゲットへ切り替えられなければならない（「経路切り替え」）。最後に、ハンドオーバが成功した場合、ターゲットｅＮＢは、ＵＥコンテキストリリース（UE  Context  Release）メッセージをソースｅＮＢに発行する。
【０００９】
３ＧＰＰでは、ＬＴＥのためのＳＯＮ（Self-Organising  Networks）についてかなり検討されている。この一部は、モビリティパラメータを最適化することを目的とするＭＲＯ（Mobility  Robustness  Optimisation）の別名でも知られるハンドオーバパラメータ最適化（Handover  Parameter  Optimisation）である。この機能は、障害が生じた後にコネクションを再確立するとき、ＵＥに最後のサービングセルを示させることによりサポートされる。
【００１０】
ＵＥからの報告は、ＵＥの状態に依存して僅かに異なる。無線リンク障害（Radio  Link  Failure：ＲＬＦ）中、ＵＥは、先ずＲＲＣ（Radio  Resource  Control）コネクションを再確立しようとし、これが成功しない場合、アイドルモードに戻り、セルへの新しいＲＲＣコネクションを確立するために更に高位レイヤによりトリガされる。
【００１１】
（ＲＲＣ再確立手順を用いて）ＲＲＣコネクションを再確立するとき、ＵＥは、最後のサービングセルの識別情報（つまり、Physical  Cell  Identity：ＰＣＩ）及び最後のサービングセルで用いられたＵＥ識別情報、つまりＣＲＮＴＩ（Cell  Radio  Network  Temporary  Identifier）を、（任意で）shortMAC-Iと呼ばれる１６ビット長フィールドと共に提供する。これに加えて、ＵＥは、ＲＬＦレポートを提供できることも示しても良い。ＲＬＦレポートは、例えば、障害ポイントにおける無線測定値セットを有する。再確立要求を受信するｅＮＢは、これを拒否することを選択しても良く、その場合にはＲＬＦレポートは送信されない。
【００１２】
アイドル状態からＲＲＣコネクションを確立するとき、ＵＥは、要求自体にＰＣＩ、ＣＲＮＴＩ又はｓｈｏｒｔＭＡＣ−Ｉを含まない。代わりに、ＵＥは、例えば最後のサービングセルに関する情報及び障害ポイントにおける無線測定値を含むＲＬＦレポートを別個に送信しても良い。
【００１３】
ＭＲＯは、以下の３つの異なる障害ケースを区別するために定められる。
・遅すぎる−ハンドオーバがトリガされるのが遅すぎるシナリオ。例えば、ハンドオーバが開始される前又は後にソースセルで障害が発生したとき、及びＵＥが別のセル内のコネクションを再確立する場合。
・早すぎる−ハンドオーバがトリガされるのが早すぎるシナリオ。例えば、ＵＥがターゲットセルに接続するのに失敗したとき、又はＵＥが接続するが無線リンクががハンドオーバ（成功）後間もなく障害になったとき。
・誤ったセル−ＵＥがあるセルに接続するよう指示されたがハンドオーバ中又はその後に失敗し、ＵＥが第３のセル内でコネクションを再確立するシナリオ。
【００１４】
一般的な考えは次の通りである。再確立しようとしているＵＥが居るセルは、ＲＬＦ指示（RLF  Indication）メッセージをＸ２インタフェースを介して最後のサービングセルへ送信し、このセルはモビリティパラメータを調整するために該情報を使用できる。幾つかの例では、この情報は、最後のサービングセルにより第３のセルへ更に転送される。これは、ハンドオーバ手順中、ＲＡＣＨ成功後、ＵＥがターゲットセルをサービングセルと考えるからである。したがって、上述の後者の２つのシナリオでは、ハンドオーバの成功後間もなく障害が生じたとき、情報は、ハンドオーバの前に、最後のサービングセルではなくサービングセルへ転送されなければならな。これは、ハンドオーバレポート（Handover  Report）メッセージにより達成される。
【００１５】
＜早すぎるハンドオーバの例（図１を参照）＞
セルＡ（ｅＮＢ  Ａの一部）からセルＢ（ｅＮＢ  Ｂの一部）へのハンドオーバが成功する。その後間もなく、ＲＬＦが生じ、ＵＥはセルＡ内で再確立を試みる（１）。ｅＮＢ  Ａは、ＲＬＦ指示をｅＮＢ  Ｂへ送信する（２）。セルＢは、（タイマを用いて）ハンドオーバ後間もなく障害が発生したことを認識し、ｅＮＢ  ＢはハンドオーバレポートをｅＮＢ  Ａへ送信する（３）。将来、セルＡは、低信頼ターゲットセル、例えば良好なカバレッジの孤立ポケットのみに相当するセルＢへのハンドオーバをより困難にすることにより同様の障害を回避できる。
【００１６】
＜誤ったハンドオーバの例（図２を参照）＞
セルＡからセルＢへのハンドオーバが成功する。その後間もなく、ＲＬＦが生じ、ＵＥはｅＮＢ  Ｃの一部である第３のセル内で再確立を試みる（１）。ｅＮＢ  Ｃは、ＲＬＦ指示をｅＮＢ  Ｂへ送信する（２）。ｅＮＢ  Ｂは、ハンドオーバ後間もなく障害が発生したことを認識し（タイマを用いる）、ハンドオーバレポートをｅＮＢ  Ａへ送信する（３）。将来、セルＡは、低信頼ターゲットセル、例えば良好なカバレッジの孤立ポケットのみに相当するセルＢへのハンドオーバをより困難にすることにより、同様の障害を回避でき、又は良好なターゲットセルに相当するセルＣへのハンドオーバをより容易にすることができる。
【００１７】
しかしながら、このようなシステム内でのハンドオーバ性能を向上するために、移動局を識別できる方法が必要である。
【発明の概要】
【発明が解決しようとする課題】
【００１８】
本発明の目的は、従来技術の解決策の欠点及び問題を軽減又は解決する解決策を提供することである。本発明の別の目的は、ハンドオーバに関連して移動局を識別可能にする解決策を提供し、それにより、システム性能を向上させるために無線ネットワークパラメータが分析及び／又は調整できるようにすることである。
【課題を解決するための手段】
【００１９】
本発明の第１の態様によると、上述の目的は、セルラ無線通信システム内の移動局を識別する方法により達成され、前記セルラ無線通信システムは、１又は複数の移動局と、少なくとも１つの関連する第１のセルに供する少なくとも１つの第１のネットワーク制御ノードと、少なくとも１つの関連する第２のセルに供する少なくとも１つの第２のネットワーク制御ノードとを有し、前記セルラ無線通信システムは、移動局があるセルから別のセルへハンドオーバされるときハンドオーバ手順を用いるよう配置され、前記方法は、前記第１のセルから前記第２のセルへ移動局をハンドオーバするステップと、前記第２のネットワーク制御ノードにより、前記第１のネットワーク制御ノードへ少なくとも１つのモバイル識別指示を送信するステップであって、前記送信するステップは、前記移動局についてのハンドオーバ失敗又は無線リンク障害の少なくとも１つの発生によりトリガされる、ステップと、前記第１のネットワーク制御ノードにより、前記少なくとも１つのモバイル識別指示を受信するステップと、前記第１のネットワーク制御ノードにより、前記少なくとも１つのモバイル識別指示を用いることにより、前記移動局を識別するステップと、を有する。
【００２０】
セルラ無線通信システムにおける方法の実施形態は、添付の従属請求項に定められる。
【００２１】
本発明の第２の態様によると、上述の目的は移動局を識別するための第１のネットワーク制御ノードにおける方法により達成され、前記第１のネットワーク制御ノードは、セルラ無線通信システムの少なくとも１つの関連する第１のセルに供するよう配置され、前記セルラ無線通信システムは、１又は複数の移動局と、少なくとも１つの関連する第２のセルに供する少なくとも１つの第２のネットワーク制御ノードとを更に有し、前記セルラ無線通信システムは、移動局があるセルから別のセルへハンドオーバされるときハンドオーバ手順を用いるよう配置され、前記方法は、前記第１のセルから前記第２のセルへ移動局をハンドオーバするステップと、前記第２のネットワーク制御ノードからの送信において少なくとも１つのモバイル識別指示を受信するステップであって、前記送信は、前記移動局についてのハンドオーバ失敗又は無線リンク障害の少なくとも１つの発生によりトリガされる、ステップと、前記少なくとも１つのモバイル識別指示を用いることにより、前記移動局を識別するステップと、を有する。
【００２２】
本発明の第３の態様によると、上述の目的は情報を送信するための第２のネットワーク制御ノードにおける方法により達成され、前記第２のネットワーク制御ノードは、セルラ無線通信システムの少なくとも１つの関連する第２のセルに供するよう配置され、前記セルラ無線通信システムは、１又は複数の移動局と、少なくとも１つの関連する第１のセルに供する少なくとも１つの第１のネットワーク制御ノードとを更に有し、前記セルラ無線通信システムは、移動局があるセルから別のセルへハンドオーバされるときハンドオーバ手順を用いるよう配置され、前記方法は、前記第１のセルから前記第２のセルへのハンドオーバの成功により前記第２のセルに移動局を受け入れるステップと、前記第１のネットワーク制御ノードへ前記移動局の少なくとも１つのモバイル識別指示を送信するステップであって、前記送信するステップは、前記移動局についてのハンドオーバ失敗又は無線リンク障害の少なくとも１つの発生によりトリガされる、ステップと、を有する。
【００２３】
本発明による方法は、コンピュータ内で実行されると該コンピュータに前記の方法のステップを実行させるコード手段を有するコンピュータプログラムで実装されても良い。コンピュータプログラムは、コンピュータプログラム製品に含まれても良い。
【００２４】
本発明は、上述の方法に対応する第１のネットワーク制御ノード装置及び第２のネットワーク制御ノード装置にも関連する。
【００２５】
本発明は、セルラ無線通信システムにおいてハンドオーバと関連して移動局を識別する新規な方法を提供する。特に、本発明は、無線ネットワークパラメータを分析及び／調整するために、格納された移動局コンテキスト情報を利用するために、モバイル識別指示を受信するネットワーク制御ノードのための手段を提供する。望ましくは、言及する無線ネットワークパラメータは、ハンドオーバ手順で用いられるモビリティパラメータである。これにより、ハンドオーバ成功レートのようなシステム性能は向上され得る。
【００２６】
本発明の更なる適用及び利点は、以下の詳細な説明を読むことにより明らかになる。
【図面の簡単な説明】
【００２７】
以下の添付の図面は、本発明の異なる実施形態を明確化し説明することを目的とする。
【図１】早すぎるハンドオーバを示す。
【図２】誤ったセルへのハンドオーバを示す。
【図３】本発明による異なるセル間の情報交換を示す。
【発明を実施するための形態】
【００２８】
上述及び他の目的を達成するために、本発明は、３ＧＰＰ通信システム、例えばＧＳＭ（登録商標）、ＵＭＴＳ及びＬＴＥのようなハンドオーバ手順を用いるセルラ無線通信システムにおける方法に関する。
【００２９】
本発明の方法は、移動局を介して第１のセル（セルＡ）から第２のセル（セルＢ）へハンドオーバするステップと、第２のネットワーク制御ノード（ノードＢ）により、少なくとも１つのモバイル識別指示を第１のネットワーク制御ノード（ノードＡ）へ送信するステップであって、該送信するステップは、移動局についてのハンドオーバ障害又は無線リンク障害の少なくとも１つの発生によりトリガされる、ステップと、第１のネットワーク制御ノードにより、少なくとも１つのモバイル識別指示を受信するステップと、第１のネットワーク制御ノードにより、少なくとも１つのモバイル識別指示を用いることにより移動局を識別するステップと、を有する。ネットワーク制御ノードの例は、基地局制御部（base  station  controller：ＢＳＣ）、無線ネットワーク制御部（radio  network  controller：ＲＮＣ）、ｅＮＢ又は任意の他の適切な制御ノードである。一方、幾つかのシステムにおいて移動局はＵＥである。
【００３０】
現在、ＵＥに関する情報の再利用は、ＵＥがＲＲＣ再確立を実行している場合にのみ可能である。この場合にのみ、ＵＥが最後のサービングセルにおけるＣＲＮＴＩを提供できるからである。そして、次に、ＵＥに関する情報の再利用は、ＲＬＦ指示メッセージを受信するｅＮＢのみが可能であり、ハンドオーバ要求メッセージを受信するセルでは可能ではない。このハンドオーバ要求メッセージは、ｅＮＢがこのメッセージがどのＵＥに関連するかを識別するいかなる手段も含まないからである。一方、ＲＬＦ指示メッセージはＣＲＮＴＩを含む。各ｅＮＢは、ＵＥを識別するためにＣＲＮＴＩを用いる。このＣＲＮＴＩは、サービングセル内でのみ有効である。シグナリングを効率的にするために、値の範囲は比較的狭い（６５５３６個の値）。したがって、セルを出て行く特定のＵＥに割り当てられたＣＲＮＴＩは、新しく入ってくるＵＥのためにやがて再利用される。これは、ＣＲＮＴＩのみが格納された情報を読み出すために用いられる場合、比較的短い時間範囲内でのみ可能であることを意味する。
【００３１】
従来、ハンドオーバレポートは、早すぎるハンドオーバ又は誤ったセルへのハンドオーバを示すことが出来るが、受信側はどのＵＥがこの障害に遭っているかを認識することが出来ない。ＵＥの認識は、受信側が、将来のハンドオーバについての任意の調整に関してより良好な且つより情報に基づいた決定を行うことができるようにする。例えば、ハンドオーバのときのネットワークの負荷の知識は、高負荷でより頻繁に障害が発生し、将来の調整がこのようなときに行われるべきであると認識するために用いることができる。例えば、ＵＥの速度が分かり、ハンドオーバ性能と速度との間の相関が決定される。このような改良は、ＵＥのハンドオーバ後にＵＥに関するこのような情報（及び上述の負荷の例ではハンドオーバのとき又はその後間もない主な条件）を、ｅＮＢ  Ａが示す必要がある。
【００３２】
サービングセルは、その特定のサービングセル内のＵＥにより使用された構成に関する完全な知識を有する。したがって、このｅＮＢは、この構成情報を格納し、幾つかの例では、障害原因を分析するために及びモビリティパラメータをどのように調整するかを決定するために、この構成情報を再利用することが可能である。したがって、第１及び第２のネットワーク制御ノードは、モバイル識別指示及び言及したネットワークコンテキスト情報を用いて１又は複数の無線ネットワークパラメータを分析し及び／又は調整することができるよう、移動局に関する所謂ネットワークコンテキスト情報を格納するよう配置されるべきである。調整され及び／又は分析され得る無線ネットワークパラメータの例は、例えば、ハンドオーバオフセット、ハンドオーバトリガ時間、ＤＴＸ設定、スケジューラパラメータ、等である。従来の第１のネットワーク制御ノードは、第２のネットワーク制御ノードへのハンドオーバが完了すると、ネットワークコンテキスト情報を削除する。本発明によると、この動作は変更され、第１のネットワーク制御ノードは、ハンドオーバが行われると、ＵＥのコンテキストを保持する。従来とは対照的に、本発明の一実施形態によると、第２のネットワーク制御ノードは、第１のネットワーク制御ノードにより保持されるコンテキストの一部に関連する追加情報を保持する。
【００３３】
一実施形態では、ネットワーク制御ノードは、ＵＥが別のセルへハンドオーバされた後に、タイマが終了するまで又はＵＥが第３のセルへの後続のハンドオーバを実行したと示すメッセージが受信される（又はハンドオーバレポートが受信され実行される）まで、ＵＥのコンテキストを保持する。例えば、ｅＮＢ  Ａは、ＵＥがセルＣ（第３のセル）へハンドオーバされたことを示すメッセージをｅＮＢ  Ｂから受信するまで、ＵＥコンテキストを保持し得る。
【００３４】
望ましくは、無線ネットワークパラメータは、ハンドオーバオフセットのようなモビリティパラメータである。セル固有オフセット（ＬＴＥシステムではＯｃｎとして知られる）のようなハンドオーバオフセットは、２つのセル間のハンドオーバ遂行のタイミングを調整するために用いられても良い。セルＡからセルＢへの早すぎるハンドオーバの例では、ハンドオーバがより困難になるよう、セルＢへのオフセットは増大されても良く（Ｏｃｎは減少される）、これは早すぎるハンドオーバの障害を軽減できる。誤ったセルへのハンドオーバの例では（図２）、セルＡは、オフセットを用いて、セルＣへのハンドオーバをより容易にでき、及び／又はセルＢへのハンドオーバをより困難にできる。これは、誤ったセルへのハンドオーバを軽減できる。既存技術では、このような変更を行うことができるが、どの個々のＵＥが障害に遭っているか又はそれらが特定の特徴を有するかどうかを知ることはできない。本発明は、セルＡ（第１のセル）がＵＥを認識し、そのコンテキストを検索することを可能にする。このコンテキストは、セルＢへのハンドオーバのときに用いられたオフセット値を含み得る。異なるＵＥがセルＡとＢとの間のハンドオーバの異なるオフセット値で構成されるとき、これは有益な情報である。異なるオフセット値は、例えばモビリティ負荷平衡（Mobility  Load  Balancing：ＭＬＢ）が用いられるとき、用いられる。
【００３５】
本発明の別の好適な実施形態によると、モバイル識別指示は、第２のネットワーク制御ノード（ノードＢ）から第１のネットワーク制御ノード（ノードＡ）へ送信されるハンドオーバレポートメッセージに埋め込まれる。ハンドオーバレポートメッセージは、上述の早すぎるハンドオーバ及び誤ったセルへのハンドオーバの使用例の場合に用いられる既存のメッセージである。モバイル識別指示をハンドオーバレポートメッセージに埋め込むことにより、セルＡのネットワーク制御ノードは、ハンドオーバレポートが言及するＵＥを識別できる。
【００３６】
本発明のモバイル識別指示は、ネットワーク制御ノードが特定の移動局を識別することを可能にする情報コンテンツを有するべきである。発明者等は、この課題に適する以下の既存の情報コンテンツ担体を認識している。
・第１のネットワーク制御ノードにより用いられる移動局のセルＣＲＮＴＩ。これは、ハンドオーバ準備手順の開始を形成するハンドオーバ要求メッセージ内でｅＮＢ  ＡからｅＮＢ  Ｂへ送信される識別情報フィールド（１６ビット）である。
・第２のネットワーク制御ノードにより用いられる移動局のＣＲＮＴＩ。これは、ハンドオーバ要求メッセージに続くハンドオーバ要求肯定応答（Handover  Request  Acknowledge）メッセージ内でｅＮＢ  ＡからｅＮＢ  Ｂへ送信され得る識別情報フィールド（１６ビット）である。代替で、ハンドオーバの終了のときに、ｅＮＢ  ＢからｅＮＢ  Ａへ送信されるＵＥコンテキストリリース（UE  Context  Release）で用いられ得る別の可能なメッセージ。
・移動局のセキュリティ鍵。このようなセキュリティ鍵の一例は、ハンドオーバ要求メッセージ内でｅＮＢ  ＡからｅＮＢ  Ｂへ送信される「Key  eNodeB  Star」（ＫｅＮＢ＊）パラメータ（３２ビット長）である。ＬＴＥセキュリティ機構は複数の鍵を用い、異なる１つが用いられ得る。Key  eNodeB  Starは非常に長く、衝突（同一のターゲットセル（Ｂ）を有する２人のユーザのために格納されたコンテキストが同一のKey  eNodeB  Starを有する）のリスクが非常に低い。
・移動局のｓｈｏｒｔＭＡＣ−Ｉ。ｓｈｏｒｔＭＡＣ−Ｉは、ＲＲＣ再確立中に移動局により用いられるセキュリティフィールドを表す。このフィールドの値は、セル内で再確立が試みられる該セルの識別情報に依存する。（異なる見込み再確立ターゲットセルの）値は、ハンドオーバ準備（ハンドオーバ要求、再確立情報（ReestablishmentInfo）、３６.３３１  clause  １０.３  inside  AS-Context及び３６.４２３  ９.１.１.１  IE  RRC  Contextを参照）の中でｅＮＢ  ＡからｅＮＢ  Ｂへ送信される。
・第１のネットワーク制御ノードにより用いられる移動局のＸ２ＡＰ  ＩＤ又は第２のネットワーク制御ノードにより用いられる移動局のＸ２ＡＰ  ＩＤ。Ｘ２ＡＰ  ＩＤ［０．．４０９５］は、シグナリングメッセージがＸ２インタフェースを介して渡されるとき、特定のＵＥを識別するために用いられる識別情報値である。一方のＸ２ＡＰ  ＩＤは、ハンドオーバ要求メッセージ内でｅＮＢ  ＡによりｅＮＢ  Ｂへ送信される所謂古いＸ２ＡＰ  ＩＤである。他方は、ハンドオーバ準備中にｅＮＢ  Ｂにより割り当てられ、ハンドオーバ要求肯定応答メッセージ内でｅＮＢ  Ａへ送り返されるＸ２ＡＰ  ＩＤである。
・第１のセルの識別情報、又は第２のセルの識別情報。異なるセルＩＤが用いられ得る。ここで、一方は、（ｅＮＢ  Ａ内の）ソースセルのＩＤであり、ハンドオーバ要求メッセージ内（ReestablishmentInfo）でｅＮＢ  Ｂへ送信される。他方は、ターゲットセルの識別情報であり、ハンドオーバ要求肯定応答メッセージ内でｅＮＢ  ＢによりｅＮＢ  Ａへ返送される。
・ハンドオーバのタイムスタンプ。異なるタイムスタンプが用いられ得る。ここで、１つは来るハンドオーバの時間である。これは、ハンドオーバが生じた時間であり、絶対タイムスタンプとして又は最後にハンドオーバが生じたときとハンドオーバレポートがトリガされたときの時間差を示すタイマとしてである。
【００３７】
しかしながら、本発明は、上述の例に限定されず、他の適切なコンテンツ担体、当業者により実現される事実を含み得る。
【００３８】
本発明の更に別の実施形態によると、送信するステップは、移動局からセルラ無線通信システムのネットワーク制御ノードへ送信されるＲＬＦレポートによりトリガされる。望ましくは、レポートは、最後の１つのモバイル識別指示を決定するために第２のネットワーク制御ノードにより用いられる移動局のＣＲＮＴＩ及び／又はＳｈｏｒｔＭＡＣ−Ｉを有する。第２のネットワーク制御ノードは、ＵＥコンテキストを保持しなければならない。ＵＥは自身のセルのうちの１つに依然として帰属し、又はコンテキストは１つの自身のセル内の障害の後に保存される。ＲＬＦレポートが第２のネットワーク制御ノードにより受信されると、第２のネットワーク制御ノードは、ＣＲＮＴＩ値及び／又はＳｈｏｒｔＭＡＣ−Ｉを用いて、どのＵＥが障害に遭っているかを識別する。次に、第２のネットワーク制御ノードは、第１のネットワーク制御ノードへ送信されるメッセージに含まれ得るモビリティ識別情報指示を決定できる。この指示は、ＣＲＮＴＩ値及び／又はＳｈｏｒｔＭＡＣ−Ｉ（例えば、Ｘ２ＡＰ  ＩＤであり得る）とは異なっても良い。
【００３９】
別の実施形態によると、送信するステップは、移動局から当該セルラ無線通信システムのネットワーク制御ノードへ送信される無線リソース制御（radio  resource  control：ＲＲＣ）再確立要求（Re-establishment  Request）メッセージによりトリガされる。ＲＲＣ再確立要求メッセージは、ＲＲＣ再確立手順の一部としてＵＥにより送信される。この手順は、ＲＬＦ又はハンドオーバ失敗の後に続く。障害の後、ＵＥはセル選択を実行し、成功した場合、ＵＥはＲＲＣ再確立要求メッセージを選択されたセルへ送信する。
【００４０】
更に別の実施形態によると、送信するステップは、セルラ無線通信システムの別のネットワーク制御ノードから送信されたＲＬＦ指示メッセージの第２のネットワーク制御ノードにおける受信によりトリガされる。このメッセージは、２つの状況下で生成されても良い。第一に、セルがＲＲＣ再確立要求メッセージ及びそのｅＮＢ（ネットワーク制御ノード）を受信し、次に該メッセージにより識別されたセルへＲＬＦ指示メッセージを送信する。第二に、ＲＬＦ又はハンドオーバの失敗の後、ＵＥは、アイドルモードになり、次に、アイドルから再接続し、利用可能なＲＬＦレポートを有することを示す。セル（又は続いて生じるハンドオーバの後に別のセル）は、ＲＬＦレポートを要求する場合、ＲＬＦレポートにより識別されたセルのｅＮＢへＲＬＦ指示メッセージを送信できる。
【００４１】
さらに、移動局を第１のセルから第２のセルへハンドオーバするステップは、一実施形態によると、第１のネットワーク制御ノードと第２のネットワーク制御ノードとの間でモバイル識別指示を交換するステップを有する。望ましくは、この場合のモバイル識別指示は、第１のネットワーク制御ノードにより用いられる移動局のＣＲＮＴＩ（cell  radio  network  temporary  identifier）、第２のネットワーク制御ノードにより用いられる移動局のＣＲＮＴＩ（cell  radio  network  temporary  identifier）、移動局のセキュリティ鍵、第１のネットワーク制御ノードにより計算された移動局のＳｈｏｒｔＭＡＣ−Ｉ、第１のネットワーク制御ノードにより用いられる移動局のＸ２ＡＰ  ＩＤ、第２のネットワーク制御ノードにより用いられる移動局のＸ２ＡＰ  ＩＤ、第１のセルの識別情報、及び第２のセルの識別情報を含むグループから選択される。
【００４２】
＜ＵＥがＲＲＣ再確立を実行するシナリオ＞
このシナリオでは、以下の通りである。
（１）ＵＥは、ｅＮＢ  Ａにより扱われるセルＡに接続される。
（２）ＵＥは、ｅＮＢ  Ｂにより扱われるセルＢにハンドオーバされる。
（３）セルＢに接続される間に（短い時間期間の範囲内で）、障害が発生する。
（４）ＵＥはｅＮＢ  Ｃにより扱われるセルＣへのＲＲＣ再確立を実行する。
【００４３】
留意すべきことに、ステップ（４）で、再確立は成功しないが、ＵＥからのＲＲＣ再確立要求メッセージは、ｅＮＢ  Ｃにより受信される（これは、ｅＮＢ  Ｂへ送信されるべきＲＬＦ指示メッセージのために必要である）。
【００４４】
この場合、ＵＥは、ＣＲＮＴＩセルＢ、セルＢの識別情報（ＰＣＩ）、及びＳｈｏｒｔＭＡＣ−Ｉ（これは、（ａ）ＵＥが有するセキュリティ鍵、（ｂ）ソースセルＰＣＩ、（ｃ）再確立セルＩＤを用いて暗号化エンジンにより生成されるビット列である）を、ＲＲＣ再確立要求内でセルＣに提供する。ＳｈｏｒｔＭＡＣ−Ｉは、ｅＮＢ  ＣがＵＥにより送信された値と一致する同一のＰＣＩ値を有する複数の近隣を有する場合、後続のＲＬＦ指示に含まれる。同じメッセージが、全てのこれらの近隣へ送信される。真のセルＢのみが、同じＳｈｏｒｔＭＡＣ−Ｉ値を生成できる。
【００４５】
次に、ｅＮＢ  Ｃは、ＣＲＮＴＩ、ＰＣＩ及び（任意で）ＳｈｏｒｔＭＡＣ−Ｉを有するＲＬＦ指示をｅＮＢ  Ｂへ送信する。これは、ｅＮＢ  ＢがこのＵＥに関する格納された情報にアクセスすることを可能にする。ｅＮＢ  Ｂにおける分析（セルＡからのＵＥの来るハンドオーバ以来の時間を調べることを含む）の後、ｅＮＢ  ＢはハンドオーバレポートメッセージをｅＮＢ  Ａへ送信する。しかしながら、ｅＮＢ  ＡがｅＮＢ  Ａ内のＵＥの任意の格納された情報にアクセスするために、ｅＮＢ  Ｂは、ｅＮＢ  ＡがＵＥを識別できるようにする情報を提供しなければならない（もちろん、Ａは、ＵＥがセルＢにハンドオーバされた後、ＵＥに関するコンテキスト情報を格納しなければならない）。ｅＮＢ  Ｂ内で用いられるＣＲＮＴＩはｅＮＢ  Ａ内では不明なので、ｅＮＢ  Ｂ内で用いられるＣＲＮＴＩを用いることは十分ではない。
【００４６】
したがって、各ハンドオーバで、（この特定の例では）ｅＮＢ  ＡからｅＮＢ  Ｂへ、ｅＮＢ  Ａ及びｅＮＢ  Ｂがハンドオーバ準備（例えば、ハンドオーバ要求及びハンドオーバ要求肯定応答）中に情報を交換することが提案される。次に、２つのｅＮＢはこの情報をローカルに格納する。後に、後に、ＲＬＦがｅＮＢ  ＣからｅＮＢ  ＢへのＲＬＦ指示メッセージの送信をトリガするとき、ｅＮＢ  Ｂは、ＵＥ固有情報を読み出し、この読み出した情報の一部をハンドオーバレポートに含め、それにより、ｅＮＢ  ＡがｅＮＢ  Ａの範囲内で有効な格納されたＵＥ固有情報を読み出せるようにする。
【００４７】
上述の例では、ハンドオーバ準備の後にｅＮＢ  Ｂに及びｅＮＢ  Ａに格納され得る情報の例は、第１のネットワーク制御ノードにより用いられる移動局のＣＲＮＴＩ（cell  radio  network  temporary  identifier）、第２のネットワーク制御ノードにより用いられる移動局のＣＲＮＴＩ（cell  radio  network  temporary  identifier）、移動局のセキュリティ鍵、第１のネットワーク制御ノードにより決定された移動局のＳｈｏｒｔＭＡＣ−Ｉ、第１のネットワーク制御ノードにより用いられる移動局のＸ２ＡＰ  ＩＤ、第２のネットワーク制御ノードにより用いられる移動局のＸ２ＡＰ  ＩＤ、第１のセルの識別情報、及び第２のセルの識別情報である。
【００４８】
＜ＵＥがアイドル状態に遷移し、次にＲＬＦレポートを生成するシナリオ＞
このシナリオでは、ＵＥは、ＣＲＮＴＩ、又はこのＵＥに関する格納された情報を読み出すためにｅＮＢ  Ｂにいかなる手段も現在提供していない。しかしながら、ＣＲＮＴＩをＲＬＦレポートに含めるための議論がなされている。ｅＮＢ  ＢがＵＥに関する格納された情報を読み出すことができるのに十分な情報が含まれるならば、ｅＮＢ  Ｂは、ｅＮＢ  Ａが来るハンドオーバレポートメッセージがどのＵＥに関連するかをｅＮＢ  Ａに識別させるために、上述と同じ動作を実行できる。
【００４９】
ＣＲＮＴＩの報告は、アイドルモードから報告するとき、現在の仕様ではサポートされていない。したがって、１つの解決策は、ＣＲＮＴＩもアイドルモードからのＵＥ  ＲＬＦレポートに含むことができる。しかしながら、留意すべきことに、アイドルモードからのＲＬＦレポートの送信の遅延（ＲＬＦイベント自体の後、最大４８時間）に起因して、及びＣＲＮＴＩが所与の時間中に１つのセル内でユニークなので、異なる時間に同じＣＲＮＴＩを用いる異なるＵＥを区別するために特定の更なる情報を追加する必要があり得る。一方で、報告されたセル識別情報は、グローバルにユニークである。ＣＲＮＴＩに基づきＵＥを一意に識別する１つの解決策は、再確立要求メッセージで初めに用いられたＳｈｏｒｔＭＡＣ−Ｉを再利用し、これをＵＥにより送信されるＲＬＦレポートに含めることであり得る。
【００５０】
以下の文章では、本発明の幾つかの更なる例示的な実施形態が提示され議論される。
【００５１】
ケースＩ：ＲＲＣ再確立においてトリガされるＲＬＦ指示
この例では、ＵＥは、ＣＲＮＴＩ及び任意でＳｈｏｒｔＭＡＣ−ＩをｅＮＢ  Ｃに提供する。ｅＮＢ  Ｃは、これらをＲＬＦ指示メッセージ内でｅＮＢ  Ｂへ送信する。ｅＮＢ  Ｂは、このＵＥの情報を読み出し、例えばｅＮＢ  ＡからｅＮＢ  Ｂへのハンドオーバが生じた時間（タイムスタンプ又は該ハンドオーバが生じてからの経過時間として）と共にセルＡ内で用いられたＣＲＮＴＩをｅＮＢ  Ａへのハンドオーバレポートに含める。これは、ｅＮＢ  Ａがこの特定のＵＥのコンテキストを読み出すのに十分な情報を提供する。
【００５２】
ケースＩＩ：ＲＬＦ指示はＲＲＣコネクション設定においてトリガされ、ＣＲＮＴＩ及びＳｈｏｒｔＭＡＣ−ＩをＲＬＦレポートに追加する
上述のケースＩと同様に、ＵＥは、ｅＮＢ  Ｂで用いられた（しかし、ＲＬＦレポートで伝達された）ＣＲＮＴＩ及びＳｈｏｒｔＭＡＣ−ＩをｅＮＢ  Ｃに提供する。ｅＮＢ  Ｃは、これをＲＬＦ指示メッセージ内でｅＮＢ  Ｂへ送信する。ｅＮＢ  Ｂは、このＵＥの情報を読み出し、例えばｅＮＢ  ＡからｅＮＢ  Ｂへのハンドオーバが生じた時間（タイムスタンプ又は該ハンドオーバが生じてからの経過時間として）と共にセルＡ内で用いられたＣＲＮＴＩをセルＡへのハンドオーバレポートに含める。これは、ｅＮＢ  Ａがこの特定のＵＥのコンテキストを読み出すのに十分な情報を提供する。
【００５３】
ケースＩＩＩ：ＲＬＦ指示はＲＲＣコネクション設定においてトリガされ、ＣＲＮＴＩ及びＲＬＦとＲＲＣ再確立との間の時間をＲＬＦレポートに追加する
ＵＥは、ｅＮＢ  Ｂ内で用いられたＣＲＮＴＩ、及び障害と（アイドルからの）再確立との間の時間をｅＮＢ  Ｃに提供する。ｅＮＢ  Ｂは、これらをＲＬＦ指示メッセージ内でｅＮＢ  Ｂへ送信する。ｅＮＢ  Ｂは、このＵＥの情報を読み出し、例えばｅＮＢ  ＡからｅＮＢ  Ｂへのハンドオーバが生じた時間（タイムスタンプ又は該ハンドオーバが生じてからの経過時間として）と共にセルＡ内で用いられたＣＲＮＴＩを含める。これは、ｅＮＢ  Ａがこの特定のＵＥのコンテキストを読み出すのに十分な情報を提供する。別の可能性は、（ＲＬＦレポートから）報告された障害と再確立との間の時間を再利用することである。誤ったセル又は早すぎる障害の例の定義によると、障害とハンドオーバとの間の時間は、非常に短くなければならないからである。障害と再確立との間の時間をＲＬＦレポートに内で報告する代わりに、別の選択肢は、障害とＵＥからのＲＬＦレポートの実際の送信との間の時間を報告することである。これは、ＲＬＦレポートの実際の送信がアイドルからのコネクションの再確立の後に直ちに生じないので、有利である。
【００５４】
さらに、システムにおける方法は、移動局を識別するための第１のネットワーク制御ノードにおける方法と、情報を送信するための第２のネットワーク制御ノードにおける方法とにそれぞれ分けることができる。前者の方法は、第１のセルから第２のヘルへ移動局をハンドオーバするステップと、第２のネットワーク制御ノードからの送信において少なくとも１つの識別指示を受信するステップであって、前記送信は、前記移動局についてのハンドオーバ失敗又は無線リンク障害の少なくとも１つの発生によりトリガされる、ステップと、前記少なくとも１つのモバイル識別指示を用いることにより前記移動局を識別するステップと、を有する。そして、後者の方法は、第１のセルから第２のセルへのハンドオーバ成功により前記第２のセルに移動局を受け入れるステップと、前記第１のネットワーク制御ノードへ前記移動局の少なくとも１つのモバイル識別指示を送信するステップであって、前記送信するステップは、前記移動局についてのハンドオーバ失敗又は無線リンク障害の少なくとも１つの発生によりトリガされる、ステップと、を有する。明らかに、これらの方法は、上述の実施形態に従って変更でき、それぞれ第１及び第２のネットワーク制御ノード装置内で実施されても良い。
【００５５】
さらに、当業者に理解されるように、本発明によるいかなる方法も、コンピュータ内で実行されると、該コンピュータに方法のステップを実行させるコード手段を有するコンピュータプログラムで実装されても良い。コンピュータプログラムは、コンピュータプログラム製品のコンピュータ可読媒体に含まれる。コンピュータ可読媒体は、基本的に、ＲＯＭ（Read-Only  Memory）、ＰＲＯＭ（Programmable  Read-Only  Memory）、ＥＰＲＯＭ（Erasable  PROM）、フラッシュメモリ、ＥＥＰＲＯＭ（Electrically  Erasable  PROM）のようなメモリ、又はハードディスクドライブを有しても良い。
【００５６】
最後に、理解されるべきことに、本発明は上述の実施形態に限定されず、添付の独立請求項の範囲内の全ての実施形態に関連しこれらを包含する。
【図１】
2015505227.tif 000003
【図２】
2015505227.tif 000004
【図３】
2015505227.tif 000005
【手続補正書】
【提出日】平成26年8月29日(2014.8.29)
【手続補正１】
【補正対象書類名】特許請求の範囲
【補正対象項目名】全文
【補正方法】変更
【補正の内容】
【特許請求の範囲】
【請求項１】
第１のネットワーク制御ノードであって、前記第１のネットワーク制御ノードは、セルラ無線通信システムの少なくとも１つの関連する第１のセルに供するよう配置され、前記セルラ無線通信システムは、１又は複数の移動局と、少なくとも１つの関連する第２のセルに供する少なくとも１つの第２のネットワーク制御ノードとを更に有し、前記セルラ無線通信システムは、移動局があるセルから別のセルへハンドオーバされるときハンドオーバ手順を用いるよう配置され、前記第１のネットワーク制御ノードは、
前記第１のセルから前記第２のセルへ移動局をハンドオーバする手段と、
前記第２のネットワーク制御ノードからの送信において少なくとも１つのモバイル識別指示を受信する手段であって、前記送信は、前記移動局についてのハンドオーバ失敗又は無線リンク障害の少なくとも１つの発生によりトリガされる、手段と、
前記少なくとも１つのモバイル識別指示を用いることにより、前記移動局を識別する手段と、
を有する第１のネットワーク制御ノード。
【請求項２】
前記少なくとも１つのモバイル識別指示は、前記第２のネットワーク制御ノードから前記第１のネットワーク制御ノードへ送信されるハンドオーバレポートメッセージ内に埋め込まれる、請求項１に記載の第１のネットワーク制御ノード。
【請求項３】
前記モバイル識別指示は、前記第１のネットワーク制御ノードにより用いられた前記移動局のＣＲＮＴＩ（cell  radio  network  temporary  identifier）、前記第２のネットワーク制御ノードにより用いられた前記移動局のＣＲＮＴＩ（cell  radio  network  temporary  identifier）、前記移動局のセキュリティ鍵、前記移動局のＳｈｏｒｔＭＡＣ−Ｉ、前記第１のネットワーク制御ノードにより用いられた前記移動局のＸ２ＡＰ  ＩＤ、前記第２のネットワーク制御ノードにより用いられた前記移動局のＸ２ＡＰ  ＩＤ、前記第１のセルの識別情報、前記第２のセルの識別情報、及び前記ハンドオーバのタイムスタンプを有するグループから選択される、請求項１に記載の第１のネットワーク制御ノード。
【請求項４】
前記第１のネットワーク制御ノードは、前記移動局に関するネットワークコンテキスト情報を格納する手段を有する請求項１に記載の第１のネットワーク制御ノード。
【請求項５】
前記少なくとも１つのモバイル識別指示及び前記格納されたネットワークコンテキスト情報を用いて、１又は複数の無線ネットワークパラメータを分析及び／又は調整する手段、を更に有する請求項４に記載の第１のネットワーク制御ノード。
【請求項６】
前記分析及び／又は調整する手段は、１又は複数のモビリティパラメータを分析及び／調整する、請求項５に記載の第１のネットワーク制御ノード。
【請求項７】
前記移動局をハンドオーバする手段は、
前記第１のネットワーク制御ノードと前記第２のネットワーク制御ノードとの間で前記少なくとも１つのモバイル識別指示を交換する、
請求項１に記載の第１のネットワーク制御ノード。
【請求項８】
前記モバイル識別指示は、前記第１のネットワーク制御ノードにより用いられた前記移動局のＣＲＮＴＩ（cell  radio  network  temporary  identifier）、前記第２のネットワーク制御ノードにより用いられた前記移動局のＣＲＮＴＩ（cell  radio  network  temporary  identifier）、前記移動局のセキュリティ鍵、前記第１のネットワーク制御ノードにより決定された前記移動局のＳｈｏｒｔＭＡＣ−Ｉ、前記第１のネットワーク制御ノードにより用いられた前記移動局のＸ２ＡＰ  ＩＤ、前記第２のネットワーク制御ノードにより用いられた前記移動局のＸ２ＡＰ  ＩＤ、前記第１のセルの識別情報、前記第２のセルの識別情報、を有するグループから選択される、請求項７に記載の第１のネットワーク制御ノード。
【請求項９】
第２のネットワーク制御ノードであって、前記第２のネットワーク制御ノードは、セルラ無線通信システムの少なくとも１つの関連する第２のセルに供するよう配置され、前記セルラ無線通信システムは、１又は複数の移動局と、少なくとも１つの関連する第１のセルに供する少なくとも１つの第１のネットワーク制御ノードとを更に有し、前記セルラ無線通信システムは、移動局があるセルから別のセルへハンドオーバされるときハンドオーバ手順を用いるよう配置され、前記第２のネットワーク制御ノードは、
前記第１のセルから前記第２のセルへのハンドオーバの成功により前記第２のセルに移動局を受け入れる手段と、
前記第１のネットワーク制御ノードへ前記移動局の少なくとも１つのモバイル識別指示を送信する手段であって、前記の送信は、前記移動局についてのハンドオーバ失敗又は無線リンク障害の少なくとも１つの発生によりトリガされる、手段と、
を有する第２のネットワーク制御ノード。
【請求項１０】
前記の送信は、前記移動局から前記セルラ無線通信システムのネットワーク制御ノードへ送信される無線リンク障害（ＲＬＦ）レポートによりトリガされ、又は
前記の送信は、前記移動局から前記セルラ無線通信システムのネットワーク制御ノードへ送信される無線リソース制御（ＲＲＣ）再確立要求メッセージによりトリガされ、又は
前記の送信は、前記第２のネットワーク制御ノードにおける、前記セルラ無線通信システムの別のネットワーク制御ノードから送信された無線リンク障害（ＲＬＦ）指示メッセージの受信によりトリガされる、請求項９に記載の第２のネットワーク制御ノード。
【請求項１１】
前記無線リンク障害（ＲＬＦ）レポートは、前記少なくとも１つのモバイル識別指示を決定するために前記第２のネットワーク制御ノードにより用いられた前記移動局のＣＲＮＴＩ（cell  radio  network  temporary  identifier）及び／又はＳｈｏｒｔＭＡＣ−Ｉを有する、請求項１０に記載の第２のネットワーク制御ノード。
【請求項１２】
移動局を識別するための第１のネットワーク制御ノードにおける方法であって、前記第１のネットワーク制御ノードは、セルラ無線通信システムの少なくとも１つの関連する第１のセルに供するよう配置され、前記セルラ無線通信システムは、１又は複数の移動局と、少なくとも１つの関連する第２のセルに供する少なくとも１つの第２のネットワーク制御ノードとを更に有し、前記セルラ無線通信システムは、移動局があるセルから別のセルへハンドオーバされるときハンドオーバ手順を用いるよう配置され、前記方法は、
前記第１のセルから前記第２のセルへ移動局をハンドオーバするステップと、
前記第２のネットワーク制御ノードからの送信において少なくとも１つのモバイル識別指示を受信するステップであって、前記送信は、前記移動局についてのハンドオーバ失敗又は無線リンク障害の少なくとも１つの発生によりトリガされる、ステップと、
前記少なくとも１つのモバイル識別指示を用いることにより、前記移動局を識別するステップと、
を有する方法。
【請求項１３】
情報を送信するための第２のネットワーク制御ノードにおける方法であって、前記第２のネットワーク制御ノードは、セルラ無線通信システムの少なくとも１つの関連する第２のセルに供するよう配置され、前記セルラ無線通信システムは、１又は複数の移動局と、少なくとも１つの関連する第１のセルに供する少なくとも１つの第１のネットワーク制御ノードとを更に有し、前記セルラ無線通信システムは、移動局があるセルから別のセルへハンドオーバされるときハンドオーバ手順を用いるよう配置され、前記方法は、
前記第１のセルから前記第２のセルへのハンドオーバの成功により前記第２のセルに移動局を受け入れるステップと、
前記第１のネットワーク制御ノードへ前記移動局の少なくとも１つのモバイル識別指示を送信するステップであって、前記送信するステップは、前記移動局についてのハンドオーバ失敗又は無線リンク障害の少なくとも１つの発生によりトリガされる、ステップと、
を有する方法。
【請求項１４】
セルラ無線通信システム内の移動局を識別する方法であって、前記セルラ無線通信システムは、１又は複数の移動局と、少なくとも１つの関連する第１のセルに供する少なくとも１つの第１のネットワーク制御ノードと、少なくとも１つの関連する第２のセルに供する少なくとも１つの第２のネットワーク制御ノードとを有し、前記セルラ無線通信システムは、移動局があるセルから別のセルへハンドオーバされるときハンドオーバ手順を用いるよう配置され、前記方法は、
前記第１のセルから前記第２のセルへ移動局をハンドオーバするステップと、
前記第２のネットワーク制御ノードにより、前記第１のネットワーク制御ノードへ少なくとも１つのモバイル識別指示を送信するステップであって、前記送信するステップは、前記移動局についてのハンドオーバ失敗又は無線リンク障害の少なくとも１つの発生によりトリガされる、ステップと、
前記第１のネットワーク制御ノードにより、前記少なくとも１つのモバイル識別指示を受信するステップと、
前記第１のネットワーク制御ノードにより、前記少なくとも１つのモバイル識別指示を用いることにより、前記移動局を識別するステップと、
を有する方法。
【請求項１５】
コンピュータプログラムであって、コード手段により特徴付けられ、コンピュータ内で実行されると、前記コンピュータに、請求項１２乃至１４のいずれか一項に記載の方法を実行させる、コンピュータプログラム。
【国際調査報告】
2015505227.tif 000006
2015505227.tif 000007
2015505227.tif 000008